(57)【要約】【課題】ＯＮＵの新設可能な未使用心線を簡略にかつ確実に識別可能な光心線識別方法及び光心線識別装置を提供する。【解決手段】ステップＳ３の判定において、下り光信号が検出された場合には、ステップＳ４において上り光信号を測定する。測定対象の心線は、ステップＳ３の判定によりスプリッタ１３０に接続されて波長λ１の下り光信号が伝送されていることから、これが未使用の心線である場合には、下り光信号が端面で反射されて上り方向に伝送される。ステップＳ４における測定の結果をもとに、ステップＳ５で上り光信号が検出されたか否かを判定し、その結果上り光信号が検出された場合には、測定対象の心線が未使用心線でありＯＮＵを新設する対象の心線であると識別する（ステップＳ６）。【選択図】図１
2008145410.tif 000002
【特許請求の範囲】
【請求項１】
局側から光信号を送出するＯＬＴ（Optical Line Terminal）と、ユーザ側から異なる波長の光信号を送出するＯＮＵ（Optical Network Unit）とを、スプリッタを介して光ファイバケーブルで接続して構成されるＰＯＮ（Passive Optical Network）通信システムにおいて、前記スプリッタと前記ＯＮＵとの間に配索された前記光ファイバケーブル内の複数の心線から前記ＯＮＵを新設可能な未使用心線（以下では新設対象心線という）を識別する光心線識別方法であって、
一端が前記スプリッタの分波側に接続された前記心線は、他端が事前に反射させる手段が講じられており、
前記ＯＬＴから送出される前記光信号（以下では下り光信号という）と、前記下り光信号が前記反射させる手段が講じられた他端で反射されて前記ＯＬＴ側に向けて伝送される反射光信号（以下では上り光信号という）とを前記スプリッタより下流側で測定し、
前記下り光信号と前記上り光信号とがともに検出されるときの前記心線を前記新設対象心線と識別する
ことを特徴とする光心線識別方法。
【請求項２】
前記スプリッタより下流側の所定の測定位置で前記心線を通光する前記異なる波長の光信号を測定して第１の測定値を取得し、
前記第１の測定値が所定の閾値より小さいとき、
前記測定位置で前記心線を通光する前記上り信号を測定して第２の測定値を取得し、
前記測定位置より下流側で前記心線に所定の大きさの損失を付与したときの前記上り信号を測定して第３の測定値を取得し、
前記第２の測定値と前記第３の測定値とが異なるとき、前記心線を前記新設対象心線と判定する
ことを特徴とする請求項１に記載の光心線識別方法。
【請求項３】
局側から光信号を送出するＯＬＴと、ユーザ側から異なる波長の光信号を送出するＯＮＵとを、スプリッタを介して光ファイバケーブルで接続して構成されるＰＯＮ通信システムにおいて、前記スプリッタと前記ＯＮＵとの間に配索された前記光ファイバケーブル内の複数の心線から前記ＯＮＵを新設可能な未使用心線（以下では新設対象心線という）を識別する光心線識別装置であって、
前記スプリッタより下流側に設けられ、前記ＯＬＴから送出される前記光信号（以下では下り光信号という）を検出する第１の検出器と、前記下り光信号が事前に反射させる手段が講じられている前記心線の端面で反射されて前記ＯＬＴ側に向けて伝送される反射光信号（以下では上り光信号という）を検出する第２の検出器とを有する検出部と、
前記検出部の前記第１の検出器と前記第２の検出器とからそれぞれの測定値を入力し、前記第１の検出部で前記下り光信号が検出され、かつ前記第２の検出部で前記上り光信号が検出されたときの前記心線を前記新設対象心線と判定する判定処理部と、を備える
ことを特徴とする光心線識別装置。
【請求項４】
前記第１の検出器と前記第２の検出器とは、それぞれ前記下り光信号と前記上り光信号とを選択的に受光する波長選択機能を備える
ことを特徴とする請求項２に記載の光心線識別装置。
【請求項５】
さらに、前記心線に所定の大きさの損失を付加する損失付加手段を備え、
前記第１の検出器及び前記第２の検出器には、前記下り信号及び前記上り信号を遮断するフィルタが着脱可能にそれぞれ備えられ、
前記判定処理部は、前記第１の検出器及び前記第２の検出器に前記フィルタを装着して前記第２の検出器で前記異なる波長の光信号を測定した第１の測定値と、前記第１の検出器及び前記第２の検出器から前記フィルタを取外して前記第２の検出器で前記上り光信号を測定した第２の測定値と、前記第１の検出器及び前記第２の検出器から前記フィルタを取外しかつ前記損失付加手段で前記損失を付加して測定した第３の測定値と、をそれぞれ入力し、前記第１の測定値が所定の閾値より小さく、かつ前記第２の測定値と前記第３の測定値とが異なると判定された前記心線を前記新設対象心線と識別している
ことを特徴とする請求項２に記載の光心線識別装置。
【発明の詳細な説明】
【技術分野】
【０００１】
本発明は、光伝送線路の心線対照を行うのに用いられる光心線識別方法及び光心線識別装置に関し、特にＰＯＮ通信システムにおいて未使用心線を識別するのに用いられる光心線識別方法及び光心線識別装置に関する。
【背景技術】
【０００２】
光ファイバを用いた通信システムとして、図４に示すようなＰＯＮ（Ｐａｓｓｉｖｅ  Ｏｐｔｉｃａｌ  Ｎｅｔｗｏｒｋ）通信が知られている。ＰＯＮ通信システム９００では、ＯＬＴ（Ｏｐｔｉｃａｌ  Ｌｉｎｅ  Ｔｅｒｍｉｎａｌ）９０１からの下りの光信号λ９１がスプリッタ９０２で分岐され、複数のユーザ側ＯＮＵ（Ｏｐｔｉｃａｌ  Ｎｅｔｗｏｒｋ  Ｕｎｉｔ）９０３に送信される。各ＯＮＵでは、自分宛にきた光信号のみを選択して取得する。この下りの光信号λ９１には、各ＯＮＵ９０３から送出する上りの光信号λ９２の送出タイミングを制御する信号も含まれている。
【０００３】
各ＯＮＵ９０３から送出された各光信号λ９２は、スプリッタ９０２で合波され、ＯＬＴ９０１が指定したタイミングの信号列でＯＬＴ９０１に入力される。ＯＬＴ９０１では、上りの光信号λ９２の信号列がＯＮＵ９０３のそれぞれの光信号に分けられる。
【０００４】
上記構成のＰＯＮ通信システム９００において、光通信を行う光線路を監視し、異常が発生した場合にはその保守を行う装置として、例えば特許文献１に開示されているものが知られている。これは、開設済みの光線路に対し、局側から試験光を送出し、ユーザ側のＯＮＵに設けられているターミネーションで反射されて再び局側に戻ることを確認することで、光線路を監視している。
【０００５】
これに対し、開設されていない空き回線を新たに使用する場合には、上記の装置を用いて未使用の心線を選択することはできない。例えば図５（ａ）に示すように、スプリッタ９０２に先行配線された心線に対して、クロージャ部９２０の位置にＯＮＵを新設して回線の開通を行う際には、既にＯＮＵ９０３が設置され使用されている心線（現用心線）を誤切断しないよう、空き回線である未使用の心線を識別して切断するする必要がある。
【０００６】
従来、未使用の心線を識別するためには、図５（ｂ）に示すように、敷設されている光ファイバケーブル９１０の端末部に赴いて新設予定の心線を選択し、そこから心線対照用の試験光を入射し、この試験光を切断予定箇所のクロージャ部９２０で心線対照機を用いて検出することで当該心線を特定している。このようにして新設予定の心線を識別した後に、この心線を切断してＯＮＵ９０３ａを新設する（図５（ｃ）という方法をとっていた。
【特許文献１】特許第３０４２５９４号公報
【発明の開示】
【発明が解決しようとする課題】
【０００７】
しかしながら、上記従来の技術では以下のような問題があった。光ファイバケーブルの端末から試験光を入射して心線対照を行う方法では、作業箇所が光ファイバケーブルの端末部と切断予定箇所の２箇所となってしまい、作業人員を少なくとも２人配備する必要があって高コストとなってしまうといった問題がある。また、光ファイバケーブルの端末部では、試験光を入射する心線を複数の心線の中から選択する必要があるため時間がかかり、さらに光源を接続するための手間がかかった。
【０００８】
上記のように、新設予定の心線を選択するための心線対照作業は非常に手間のかかる作業であることから、実運用においては、該当する心線を設備図面等の設計データのみを用いて選択し、心線対照機を用いた心線対照作業を省略することがあった。そのため、心線を誤選択して切断してしまうといった問題もあった。
【０００９】
そこで、本発明はこれらの問題を解決するためになされたものであり、ＯＮＵの新設可能な未使用心線を簡略にかつ確実に識別可能な光心線識別方法及び光心線識別装置を提供することを目的とする。
【課題を解決するための手段】
【００１０】
本発明の光心線識別方法の第１の態様は、局側から光信号を送出するＯＬＴと、ユーザ側から異なる波長の光信号を送出するＯＮＵとを、スプリッタを介して光ファイバケーブルで接続して構成されるＰＯＮ通信システムにおいて、前記スプリッタと前記ＯＮＵとの間に配索された前記光ファイバケーブル内の複数の心線から前記ＯＮＵを新設可能な未使用心線（以下では新設対象心線という）を識別する光心線識別方法であって、一端が前記スプリッタの分波側に接続された前記心線は、他端が事前に反射させる手段が講じられており、前記ＯＬＴから送出される前記光信号（以下では下り光信号という）と、前記下り光信号が前記反射させる手段が講じられた他端で反射されて前記ＯＬＴ側に向けて伝送される反射光信号（以下では上り光信号という）とを前記スプリッタより下流側で測定し、前記下り光信号と前記上り光信号とがともに検出されるときの前記心線を前記新設対象心線と識別することを特徴とする。
【００１１】
本発明の光心線識別方法の他の態様は、前記スプリッタより下流側の所定の測定位置で前記心線を通光する前記異なる波長の光信号を測定して第１の測定値を取得し、前記第１の測定値が所定の閾値より小さいとき、前記測定位置で前記心線を通光する前記上り信号を測定して第２の測定値を取得し、前記測定位置より下流側で前記心線に所定の大きさの損失を付与したときの前記上り信号を測定して第３の測定値を取得し、前記第２の測定値と前記第３の測定値とが異なるとき、前記心線を前記新設対象心線と判定することを特徴とする。
【００１２】
本発明の光心線識別装置の第１の態様は、局側から光信号を送出するＯＬＴと、ユーザ側から異なる波長の光信号を送出するＯＮＵとを、スプリッタを介して光ファイバケーブルで接続して構成されるＰＯＮ通信システムにおいて、前記スプリッタと前記ＯＮＵとの間に配索された前記光ファイバケーブル内の複数の心線から前記ＯＮＵを新設可能な未使用心線（以下では新設対象心線という）を識別する光心線識別装置であって、前記スプリッタより下流側に設けられ、前記ＯＬＴから送出される前記光信号（以下では下り光信号という）を検出する第１の検出器と、前記下り光信号が事前に反射させる手段が講じられている前記心線の端面で反射されて前記ＯＬＴ側に向けて伝送される反射光信号（以下では上り光信号という）を検出する第２の検出器とを有する検出部と、前記検出部の前記第１の検出器と前記第２の検出器とからそれぞれの測定値を入力し、前記第１の検出部で前記下り光信号が検出され、かつ前記第２の検出部で前記上り光信号が検出されたときの前記心線を前記新設対象心線と判定する判定処理部と、を備えることを特徴とする。
【００１３】
本発明の光心線識別装置の他の態様は、前記第１の検出器と前記第２の検出器とが、それぞれ前記下り光信号と前記上り光信号とを選択的に受光する波長選択機能を備えることを特徴とする。
【００１４】
本発明の光心線識別装置の他の態様は、さらに、前記心線に所定の大きさの損失を付加する損失付加手段を備え、前記第１の検出器及び前記第２の検出器には、前記下り信号及び前記上り信号を遮断するフィルタが着脱可能にそれぞれ備えられ、前記判定処理部は、前記第１の検出器及び前記第２の検出器に前記フィルタを装着して前記第２の検出器で前記異なる波長の光信号を測定した第１の測定値と、前記第１の検出器及び前記第２の検出器から前記フィルタを取外して前記第２の検出器で前記上り信号を測定した第２の測定値と、前記第１の検出器及び前記第２の検出器から前記フィルタを取外しかつ前記損失付加手段で前記損失を付加して測定した第３の測定値と、をそれぞれ入力し、前記第１の測定値が所定の閾値より小さく、かつ前記第２の測定値と前記第３の測定値とが異なると判定された前記心線を前記新設対象心線と判定していることを特徴とする。
【発明の効果】
【００１５】
本発明によれば、ＯＬＴから送出される下り光信号と、事前に反射させる手段が講じられている未使用心線の端部で反射された上り光信号とがともに検出されることでＯＮＵの新設可能な未使用心線を識別していることから、ＯＮＵの新設対象心線を簡略にかつ確実に識別可能な光心線識別方法及び光心線識別装置を提供することが可能となる。
【発明を実施するための最良の形態】
【００１６】
本発明の好ましい実施の形態における光心線識別装置及び識別方法について、図面を参照して詳細に説明する。なお、同一機能を有する各構成部については、図示及び説明簡略化のため、同一符号を付して示す。
【００１７】
本発明の実施の形態に係る光心線識別方法及び光心線識別装置を、図２を用いて詳細に説明する。図２は、局１１０に設置されたＯＬＴ１１１とユーザ側に設置されたＯＮＵ１２０とを、スプリッタ１３０を介して光ファイバケーブル１４０で接続して構成されたＰＯＮ通信システム１００の一部を拡大して示した模式図である。図２ではスプリッタ１３０を１台のみ示しているが、ＯＬＴ１１１に接続されている光ファイバケーブル１４０には、スプリッタ１３０が接続されている心線以外の他の心線にも同様のスプリッタが接続されている。また、スプリッタ１３０の下り方向にさらに別のスプリッタを直列に接続させてさらに分波されることもある。本実施形態の心線識別方法は、最下流のスプリッタ１３０に接続される光ファイバケーブル１４０ａの心線識別を行うものである。
【００１８】
ＯＬＴ１１１からは、ＯＮＵ１２０に向けて（以下では下り方向という）所定の波長（λ１とする）の光信号（以下では下り光信号という）が送出されており、この下り光信号がスプリッタ１３０で分波されて各ユーザ側のＯＮＵ１２０に伝送される。一方、各ユーザ側に設置されたＯＮＵ１２０からは、下り光信号の波長とは別の波長（λ２とする）の光信号がＯＬＴ１１１側に向けて（以下では上り方向という）送出されており、各ＯＮＵ１２０からの光信号はスプリッタ１３０で合波されてＯＬＴ１１１に伝送される。波長λ１及び波長λ２として、例えばそれぞれ１．４９μｍ、１．３１μｍのレーザ光が用いられる。
【００１９】
スプリッタ１３０の下り方向に接続される光ファイバケーブル１４０ａとして、例えば２４単心ケーブルを用いることができる。スプリッタ１３０の下り方向には、現在使用されている心線（以下では現用心線という）だけでなく、将来予想される需要数を含めた数だけ心線をスプリッタ１３０に事前に接続しておくことができる。従って、スプリッタ１３０の下り方向に接続された光ファイバケーブル１４０ａには、現用心線のほかにスプリッタ１３０に接続されているが未使用の心線、及びスプリッタ１３０にも接続されていない心線が含まれている。
【００２０】
スプリッタ１３０に接続された光ファイバケーブル１４０ａの下流側端部では、各心線の端面に対し事前に鏡面切断等の反射させる手段が講じられており、未使用の段階では下り方向に伝送された光が端部でフレネル反射するよう処理されている。この処理は、例えば光ファイバケーブル１４０ａの敷設時に行うものとし、その後も端面状態が適切に維持されるよう保守されているものとする。
【００２１】
本実施形態の光心線識別方法は、ＯＮＵを新設する対象の心線（以下では新設対象心線という）として、最下流のスプリッタ１３０に接続された光ファイバケーブル１４０ａから未使用の心線を識別する方法を提供するものである。ＯＮＵを新たに設置するクロージャ（以下では引き落としクロージャという）１５０の設置箇所を測定位置とし、この測定位置において光ファイバケーブル１４０ａ内の心線を通光する下り光信号及び上り光信号を本実施形態の光心線識別装置２００で測定して検出することで、新設対象心線を識別している。
【００２２】
本実施形態では、上記の測定位置において測定する下り光信号として、ＯＬＴ１１１から送出される波長λ１の光信号を用いている。また、測定対象の上り光信号としては、ＯＬＴ１１１から送出された波長λ１の光信号が、測定対象の心線の端面で反射されて上り方向に伝送される光信号を用いるものとしている。測定対象の心線がその端面で下り光信号を反射して上り方向に伝送されるのは、これが未使用の心線の場合であり、既にＯＮＵ１２０が接続されている場合には、下り光信号の反射が心線端面での反射に比べて非常に小さく、両者を明確に区別することができる。以下では、ＯＮＵ１２０が接続されている場合の下り光信号の反射が非常に小さいことから、この場合には上り光信号が検出されないものとして説明している。
【００２３】
そこで本実施形態では、光心線識別装置２００において、ＯＬＴ１１１から送出される波長λ１の下り光信号が検出され、かつ下り光信号が端面で反射されて上り方向に伝送される波長λ１の上り光信号が検出された場合には、測定対象の心線をＯＮＵの新設可能な未使用心線と判定している。このように、本実施形態の光心線識別方法によれば、ＯＬＴ１１１から送出される波長λ１の下り光信号が、測定対象の心線の端面で反射されるか否かを判定していることから、引き落としクロージャ１５０より下流側にＯＮＵ１２０が接続されているか否かを確実に識別することが可能となる。
【００２４】
また、下り光信号と上り光信号がともに検出されない場合には、測定対象の心線がスプリッタ１３０に接続されていない心線であると判定している。すなわち、この測定対象の心線は、スプリッタ１３０に接続されていないため、ＯＬＴ１１１から送出される波長λ１の下り光信号が伝送されていないと判定し、ＯＮＵを新設する対象の心線から除外している。
【００２５】
本実施形態の光心線識別方法を、図１に示す流れ図を用いてさらに詳細に説明する。まずステップＳ１において、ＯＬＴ１１１から波長λ１の下り光信号が送出される。この下り光信号を、引き落としクロージャ１５０が設置されている測定位置において測定する（ステップＳ２）。そして、ステップＳ３において、下り光信号が検出されたか否かを判定する。
【００２６】
ステップＳ３の判定において、下り光信号が検出された場合には、ステップＳ４において上り光信号を測定する。測定対象の心線は、ステップＳ３の判定によりスプリッタ１３０に接続されて波長λ１の下り光信号が伝送されていることから、これが未使用の心線である場合には、下り光信号が端面で反射されて上り方向に伝送される。ステップＳ４における測定の結果をもとに、ステップＳ５で上り光信号が検出されたか否かを判定し、その結果上り光信号が検出された場合には、測定対象の心線が未使用心線でありＯＮＵを新設する対象の心線であると識別する（ステップＳ６）。
【００２７】
一方、ステップＳ３の判定の結果、下り光信号が検出されなかった場合には、測定対象の心線がスプリッタ１３０に接続されていないと判定してＯＮＵを新設する対象の心線でないと識別する（ステップＳ７）。また、ステップＳ５の判定において、上り光信号が検出されないと判定された場合には、測定対象の心線には既にＯＮＵが接続されている現用心線と判定し、測定対象の心線を新設対象心線でないと識別する（ステップＳ８）。
【００２８】
本発明の実施の形態に係る光心線識別装置２００の構成を図３に示す。光心線識別装置２００は、ＯＬＴ１１１から下り方向に送出される下り光信号を検出する第１の検出器２１１と、この下り光信号が事前に反射させる手段が講じられている心線の端面で反射されて上り方向に伝送される上り光信号を検出する第２の検出器２１２とを備えた検出部２１０と、第１の検出器２１１と第２の検出器２１２とからそれぞれの測定値を入力して新設対象心線を識別する判定処理部２２０とから構成されている。
【００２９】
第１の検出器２１１と第２の検出器２１２は、測定対象の波長λ１の光信号のみを測定するように波長選択機能を有しており、例えばフォトダイオード（ＰＤ）の前面に波長λ１の光信号のみを通過させる光学フィルタを設けて構成することができる。また、検出器２１２は心線の端面で反射された光信号を測定することから、高感度な性能を有するセンサを用いる必要がある。判定処理部２２０は、第１の検出器２１１及び第２の検出器２１２で測定した各測定値を入力し、これを用いて図１に示す処理を実行している。
【００３０】
上記説明の通り、本発明の光心線識別方法及び光心線識別装置によれば、ＯＬＴから送出される下り光信号と、この下り光信号が心線の端面で反射された上り光信号とを検出して新設対象心線を識別していることから、誤識別の恐れがなく信頼性の高い心線識別が可能となる。また、作業人員を引き落としクロージャの設置場所にのみに配置すればよいことから、省力化を図ることができる。さらに、本発明の光心線識別装置のみを用いて新設対象心線を識別でき、従来のような試験光を出射させる光源等が不要なことから、低コストで心線識別作業が行える。
【００３１】
本発明の別の実施の形態に係る光心線識別方法及び光心線識別装置を、図６を用いて説明する。図６は、本実施形態の光心線識別装置３００を用いて、ＯＮＵの新設が可能な対象心線を識別する本実施形態の光心線識別方法を説明する全体流れ図である。上記の光心線識別装置２００を用いて、ＯＬＴ１１１から送出される波長λ１の光信号を測定する方法では、上り方向の反射光の強度が特に低い場合には、これを検出することができなくなるおそれがある。すなわち、下り方向に同じ波長λ１の光信号が伝送されており、その一部が検出器２１２でも測定されてしまうが、これが上り方向の反射光よりも高い強度となっている場合には、反射光の有無を判定できなくなってしまうおそれがある。
【００３２】
そこで、本実施形態では、反射光である上り光信号の強度を測定する代わりに、心線の伝送損失を変化させたときの上り光信号の強度の変化を検出させるようにしている。すなわち、測定位置より下流側で心線に伝送損失を付加したとき、これによる光信号の変化が第２の検出器で検出できた場合には、上り方向の反射波が伝送されていると判定することができる。この場合、上り方向にＯＮＵ１２０から波長λ２の光信号が送出されていないことを事前に確認しておく必要がある。
【００３３】
本実施形態の光心線識別方法では、図６に示すように、光信号の測定を２段階に分けて行っており、符号３０１で示す第１段階では波長λ２の光信号の測定を行う。波長λ２の光信号の測定では、波長λ１の光信号も含めて測定することのないよう、波長λ１の光信号を遮断して行う。第１段階３０１の測定の結果、波長λ２の光信号が検出された場合には、測定対象の心線はＯＮＵが接続された現用心線であると判定する。また、波長λ２の光信号が検出されなかった場合には、さらに次の符号３０２で示す第２段階の測定を行う。
【００３４】
第２段階３０２の測定では、ＯＬＴ１１１から送出される波長λ１の光信号の反射光を測定する。但し、反射光の強度が低いためこれを検出できないおそれがあることから、本実施形態では、測定位置より下流側で測定中の心線に所定の損失を付加し、これによって測定値が変化するか否かを検出している。その結果、測定値の変化が検出された場合には、上り方向に反射光が伝送されていると判定でき、当該心線を新設対象心線と判定できる。心線に付加する損失は１〜２ｄＢ程度でよく、この程度の損失を付加することで反射光の変化を判定することが可能である。
【００３５】
測定中の心線は、第１段階３０１でＯＮＵから波長λ２の光信号が送出されていないことを確認済みであることから、測定位置より下流側で損失を付加したことによる測定値の変化は、反射光によるものであると判定することができる。また、損失を付加する位置は、測定位置より下流側とする必要があり、測定位置より上流側で損失を付加すると、測定位置では損失を付加する前後で下り方向の光信号の強度も変化してしまうため、反射光の変化の有無を検出することができなくなってしまう。
【００３６】
上記の通り、本実施形態の光心線識別方法では、第１段階３０１でＯＮＵから波長λ２の光信号が送出されていない光心線であることを確認し、第２段階３０２で測定位置より下流側で損失を付加したときに測定値が変化する心線を新設対象心線であると判定するようにしたことにより、反射光の強度が低い場合でも新設対象心線を正確に判定することが可能となっている。
【００３７】
本実施形態の光心線識別装置３００の概略構成を図７に示す。光心線識別装置３００は、検出器３１１、３１２の受光面前方に、波長λ１の光信号をカットするフィルタ３１３、３１４を着脱可能に備えている。このフィルタ３１３、３１４は、第１段階の波長λ２の光信号を測定するときに用いるものである。
【００３８】
第１の検出器３１１は、光心線識別装置２００と同様、ＯＬＴ１１１から下り方向に送出される下り光信号を検出するものであり、第２の検出器３１２は、上り方向の光信号として波長λ１の反射光又はＯＮＵ１２０から送出される波長λ２の光信号を測定するものである。第２の検出器３１２で波長λ２の光信号を測定する場合には、波長λ１の光信号を受光するのを防止するために、第１の検出器３１１と第２の検出器３１２のそれぞれにフィルタ３１３、３１４を装着する。フィルタ３１３、３１４は、波長λ１の光信号を遮断するフィルタである。
【００３９】
本実施形態の光心線識別装置３００はさらに、測定対象の光心線に所定の大きさの損失を付加するための損失付加手段３３０を備えている。損失付加手段３３０は、光心線識別装置３００の図示しない筐体に一体に具備されるようにしてもよく、あるいは、光心線識別装置３００の筐体とは別に設けてもよい。
【００４０】
光心線識別装置３００を用いて行う本実施形態の光心線識別方法を、図８の流れ図を用いてさらに詳細に説明する。まずステップＳ１１において、検出器３１１、３１２の受光面前方にフィルタ３１３、３１４を装着し、次のステップＳ１２で波長λ２の光信号を測定して第１の測定値を取得する。ステップＳ１３において、第１の測定値が所定の閾値Ａ１より小さいかを判定し、閾値Ａ１より小さい場合には第２段階のステップＳ１５に進み、閾値Ａ１以上の場合には当該心線を現用心線と判定する（ステップＳ１４）。閾値Ａ１には、波長λ２の光信号の有無を判定するのに好適な値を用いる。
【００４１】
第２段階ではまず、ステップＳ１５で検出器３１１、３１２の受光面前方からフィルタ３１３、３１４を取り外す。次のステップＳ１６では、検出器３１２で波長λ１の反射光を測定して第２の測定値を取得する。その後、損失付加手段３３０を用いて当該心線の測定位置より下流側に所定の損失を付加し（ステップＳ１７）、その時の波長λ１の反射光を検出器３１２で測定して第３の測定値を取得する（ステップＳ１８）。そして、ステップＳ１９で第２の測定値と第３の測定値との差の絶対値が所定の閾値Ａ２より大きいかを判定する。
【００４２】
ステップＳ１９の判定の結果、両者の差の絶対値が閾値Ａ２より大きいと判定した場合には、波長λ１の反射波の変化が検出されたと判定して当該心線を新設対象心線と判定する（ステップＳ２０）。また、両者の差の絶対値が閾値Ａ２以下でほとんど変化していない場合には、反射波がないと判定して当該心線を現用心線と判定する（ステップＳ２１）。閾値Ａ２には、波長λ１の反射波の変化を検出するのに好適な値を設定する。
【００４３】
本実施形態の心線識別方法を用いた１実施例を、図９を用いて以下に説明する。本実施形態の心線識別方法では、第１の測定値をもとにＯＮＵ１２０から波長λ２の光信号が送出されているか否かを容易に判定することができる。そこで、図９では第２段階の心線識別方法について説明する。第２段階では、測定中の心線を通光する光はＯＬＴ１１１から送出された波長λ１の光信号のみであることが確認されている。
【００４４】
図９（ａ）、（ｂ）は、測定中の心線の端部にＯＮＵ１２０が接続されていない場合の波長λ１の光信号の強度を示している。図９（ａ）の例では、測定位置における波長λ１の下り光信号の強度をー２３ｄＢｍとし、心線端部の反射手段による反射で１５ｄＢの低下があるものとしている。この場合、測定位置における反射波の強度はー３８ｄＢｍとなる。
【００４５】
上記のように、波長λ１の反射波がある場合には、検出器３１２でー３８ｄＢｍの反射波からの漏れ光を受光するが、検出器３１２には波長λ１の下り方向の光信号もわずかであるが受光してしまう。そのため、検出器３１２の測定値は、上記のー３８ｄＢｍの反射波からの漏れ光よりも大きな値が得られる。この測定値から、反射光の漏れ光だけの強度を判定するのは困難である。
【００４６】
そこで、本実施形態では、図９（ｂ）に示すように、測定位置より下流側で当該心線に所定の損失（ー１ｄＢとする）を付加している。この場合、測定位置を通過した下り光信号の強度は、損失付加地点で１ｄＢ低下した後反射手段で反射されるときに１５ｄＢ低下する。そして、反射されて上り方向に進む反射波は、損失地点で再び１ｄＢ低下することから、検出器３１２に受光される反射波の強度は、ー４０ｄＢｍとなる。
【００４７】
上記の通り、損失付加手段によって１ｄＢだけ損失を付加することで、検出器３１２では光信号の強度を２ｄＢ変化させたときの漏れ光の変化を測定する。損失を付加しないときの測定位置における強度−３８ｄＢｍ、及び損失を付加したときの測定位置における強度―４０ｄＢｍを線形値に変換すると、それぞれ１．５８×１０−４ｍＷ、及び１．００×１０−４ｍＷとなる。光信号の強度が、両者の差である０，５８×１０−４ｍＷだけ変化したときの漏れ光の変化を検出することで、反射波が伝送されていることを確認することができる。
【００４８】
これに対し、当該光心線の端部にＯＮＵ１２０が接続されている場合には、図９（ｃ）に示すように、損失を付加しない場合、下り光信号はＯＮＵ１２０で５０ｄＢ低下して反射される。その結果、検出器３１２は−７３ｄＢｍの強度の光信号からの漏れ光を受光することになる。また、損失付加手段３３０で損失を付加した図９（ｄ）の場合には、検出器３１２で−７５ｄＢｍの強度の光信号からの漏れ光を測定することになる。
【００４９】
損失を付加しないときの光信号の強度−７３ｄＢｍ、及び損失を付加したときの光信号の強度―７５ｄＢｍを線形値に変換すると、それぞれ５．０１×１０−８ｍＷ、及び３．１６×１０−８ｍＷとなる。よって、両者の差は１．８５×１０−８ｍＷとなるが、このようなわずかな強度の変化による漏れ光の変化は極めて小さく、これを検出することはほとんど不可能である。よって、損失付加の有無による検出器３１２の測定値の変化が十分小さい（閾値Ａ２より小さい）ときは、当該心線にＯＮＵ１２０が接続されていると判定できる。
【００５０】
上記では、波長λ１の下り方向の光信号からの漏れ光の影響については考慮していなかったが、検出器３１２で波長λ１の下り方向の光信号の漏れ光も受光してしまう場合には、検出器３１２の測定値はさらに大きくなる。しかしながら、検出器３１２で受光する波長λ１の下り光信号は、損失付加手段３３０で損失を付加するかしないかで変化することはないことから、損失を付加するときと付加しないときとの検出器３１２による測定値の差は、反射光の強度の変化だけで決まることになる。従って、検出器３１２の測定値の変化を検知するか否かによって、反射光が通光しているか否かを判定することができ、これにより新設対象心線か否かを正確に判定することが可能となる。
【００５１】
なお、本実施の形態における記述は、本発明に係る光心線識別方法及び光心線識別装置の一例を示すものであり、これに限定されるものではない。本実施の形態における光心線識別方法及び光心線識別装置の細部構成及び詳細な動作等に関しては、本発明の趣旨を逸脱しない範囲で適宜変更可能である。
【図面の簡単な説明】
【００５２】
【図１】本発明の実施形態に係る心線識別方法の処理の流れを示す流れ図である。
【図２】本発明の実施形態に係る心線識別方法を説明するためのＰＯＮ通信システムの模式図である。
【図３】本発明の実施形態に係る心線識別装置を示すブロック図である。
【図４】ＰＯＮ通信システムの概略構成を示すブロック図である。
【図５】従来の心線識別方法を説明するためのＰＯＮ通信システムの模式図である。
【図６】本発明の別の実施形態に係る光心線識別方法を説明する全体流れ図である。
【図７】本発明の別の実施形態に係る心線識別装置を示すブロック図である。
【図８】本発明の別の実施形態に係る心線識別方法の処理の流れを示す流れ図である。
【図９】本発明の別の実施形態に係る心線識別方法を用いた１実施例を説明する図である。
【符号の説明】
【００５３】
１００、９００    ＰＯＮ通信システム
１１０    局
１１１、９０１    ＯＬＴ
１２０、９０３    ＯＮＵ
１３０、９０２    スプリッタ
１４０、９１０    光ファイバケーブル
１５０、９２０    引き落としクロージャ部
２００、３００    心線識別装置
２１０、３１０    検出部
２１１、２１２、３１１、３１２    検出器
３１３、３１４    フィルタ
２２０、３２０    判定処理部
３３０    損失付加手段
【図１】
2008145410.tif 000003
【図２】
2008145410.tif 000004
【図３】
2008145410.tif 000005
【図４】
2008145410.tif 000006
【図５】
2008145410.tif 000007
【図６】
2008145410.tif 000008
【図７】
2008145410.tif 000009
【図８】
2008145410.tif 000010
【図９】
2008145410.tif 000011